(57)【特許請求の範囲】
【請求項１】
被検査物を検査する物品検査装置（１）であって、
前記被検査物の品種に係るデータである品種関連データを複数の品種分記憶する記憶部（７３）と、
前記記憶部に記憶された品種関連データのうち、検査中の被検査物の品種と異なる他の品種に関する検査結果の統計データを、前記検査中の被検査物の品種に関する検査結果の統計データと異なる態様で表示部（１０）に表示させる制御部（７４）と、を備えたことを特徴とする物品検査装置。
【請求項２】
前記他の品種の選択操作を行う選択操作部（１０）を備えることを特徴とする請求項１に記載の物品検査装置。
【請求項３】
前記制御部が、前記検査中の被検査物の品種に関する品種関連データと前記他の品種に関する品種関連データとを並べて表示部に表示させることを特徴とする請求項１または請求項２に記載の物品検査装置。
【請求項４】
前記制御部が、前記検査中の被検査物の品種に関する品種関連データと前記他の品種に関する品種関連データとを重ねて表示部に表示させることを特徴とする請求項１または請求項２に記載の物品検査装置。
【発明の詳細な説明】
【技術分野】
【０００１】
本発明は、例えば、肉、魚、加工食品、医薬品などの被検査物を検査する物品検査装置に関する。
【背景技術】
【０００２】
食品工場等では、製品の重量を検査する物品検査装置が用いられており、物品検査装置は、製品が搬送される間に重量に過不足がないか否かを検査している。従来のこの種の物品検査装置として特許文献１に記載されたものが知られている。
【０００３】
特許文献１に記載の物品検査装置は、検査中の被検査物の質量値、統計データおよび検査パラメータを表示している。特許文献１に記載の物品検査装置は、検査パラメータとして、正常品質量、許容精度、計量精度を表示し、統計データとして偏差等の数値を表示している。
【先行技術文献】
【特許文献】
【０００４】
【特許文献１】特開２００６−３２２７５１号公報
【発明の概要】
【発明が解決しようとする課題】
【０００５】
ここで、物品検査装置を用いる生産ラインでは、物品検査装置で、ある品種の検査をしている途中で、他の品種の検査パラメータや統計データを確認したいという要望がある。例えば、検査中の現在の品種と次に生産予定の品種で、仕様が概ね同じで検査パラメータに共通項目が多いような場合がある。
【０００６】
一例として、物品検査装置を用いる生産ラインでは、自社ブランドと同仕様の製品を他社ブランド（いわゆるＯＥＭ）用に生産することがある。この場合、自社ブランドの製品と他社ブランドの製品を区別して管理するため、双方の製品で検査パラメータは同じであるが品種番号を異ならせている。
【０００７】
このような場合、次に生産予定の品種の検査パラメータを前もって確認することができれば、品種の切り替えに伴う検査パラメータの設定変更等を滞りなく行うことができる。また、生産中に生産済の品種の統計データを確認することができれば、現在の生産状況に問題がないかを容易に把握できる。
【０００８】
しかしながら、特許文献１に記載の物品検査装置においては、検査中の現在の品種の検査パラメータや統計データを表示することはできるが、検査中ではない他の品種の検査パラメータや統計データを表示することができなかった。
【０００９】
このため、特許文献１に記載の物品検査装置では、他の品種の検査パラメータや統計データを表示させて確認するために、現在の品種の検査を中断する必要があり、生産性の低下を引き起こすおそれがあった。
【００１０】
そこで、本発明は、前述のような従来の問題を解決するためになされたもので、検査を中断することなく検査中の品種以外の品種のデータを確認できる物品検査装置を提供することを目的とする。
【課題を解決するための手段】
【００１１】
本発明に係る物品検査装置は、被検査物を検査する物品検査装置（１）であって、前記被検査物の品種に係るデータである品種関連データを複数の品種分記憶する記憶部（７３）と、前記記憶部に記憶された品種関連データのうち、検査中の被検査物の品種と異なる他の品種に関する検査結果の統計データを、前記検査中の被検査物の品種に関する検査結果の統計データと異なる態様で表示部（１０）に表示させる制御部（７４）と、を備えたことを特徴とする。
【００１２】
この構成により、制御部は、記憶部に記憶された品種関連データのうち、検査中の被検査物の品種と異なる他の品種に関する品種関連データを表示部に表示させる。この結果、検査を中断することなく検査中の品種以外の品種のデータを確認できる。また、検査を中断することなく検査中の品種以外の品種の統計データと検査パラメータを確認できる。また、検査中の被検査物の品種に関する品種関連データと他の品種に関する品種関連データとを、明確に識別することができる。
【００１５】
本発明に係る物品検査装置は、前記他の品種の選択操作を行う選択操作部を備えることを特徴とする。
【００１６】
この構成により、選択操作部で選択した他の品種に関する品種関連データを表示部に表示させることができる。
【００１７】
本発明に係る物品検査装置は、前記制御部が、前記検査中の被検査物の品種に関する品種関連データと前記他の品種に関する品種関連データとを並べて表示部に表示させることを特徴とする。
【００１８】
この構成により、検査中の被検査物の品種に関する品種関連データと他の品種に関する品種関連データとを、並べて表示した状態で容易に比較することができる。
【００１９】
本発明に係る物品検査装置は、前記制御部が、前記検査中の被検査物の品種に関する品種関連データと前記他の品種に関する品種関連データとを重ねて表示部に表示させることを特徴とする。
【００２０】
この構成により、検査中の被検査物の品種に関する品種関連データと他の品種に関する品種関連データとを、重ねて表示した状態で容易に比較することができる。
【発明の効果】
【００２３】
本発明は、検査を中断することなく検査中の品種以外の品種のデータを確認できる物品検査装置を提供することができる。
【図面の簡単な説明】
【００２４】
【図１】本発明の一実施の形態に係る物品検査装置の概要を示す斜視図である。
【図２】本発明の一実施の形態に係る物品検査装置の内部構成を示すブロック図である。
【図３】本発明の一実施の形態に係る物品検査装置において、検査中の品種の統計データを表示した状態を示す図である。
【図４】本発明の一実施の形態に係る物品検査装置において、検査中の品種と他の品種の両方の統計データを並べて同時に表示した状態を示す図である。
【図５】本発明の一実施の形態に係る物品検査装置において、検査中の品種と他の品種の両方の統計データを重ねて同時に表示した状態を示す図である。
【図６】本発明の一実施の形態に係る物品検査装置において、検査中の品種の検査パラメータを表示した状態を示す図である。
【図７】本発明の一実施の形態に係る物品検査装置において、検査中の品種と他の品種の両方の検査パラメータを同時に表示した状態を示す図である。
【発明を実施するための形態】
【００２５】
以下、本発明に係る物品検査装置の実施の形態について図面を参照して説明する。図１〜図７は、本発明に係る物品検査装置の一実施の形態を示している。
【００２６】
まず、物品検査装置１の概要を説明する。図１において、物品検査装置１は、装置本体部２と、搬送部３と、搬入センサ４とを備えて構成されている。また、物品検査装置１の後段には選別部５が接続されている。
【００２７】
物品検査装置１は、生産ラインの一部を構成するベルトコンベア１４の下流側に設置されており、所定の間隔で矢印Ａ方向に順次搬入されてくる肉、魚、加工食品、医薬品などの被検査物Ｗの重量を測定し、得られた測定値（以下、計量値という）を基に検査を行い、検査結果を出力する。
【００２８】
物品検査装置１は、計量値が基準値の範囲内にあるか否か等により、被検査物Ｗを良品と不良品の何れかに判定している。さらに、物品検査装置１は、得られた計量値に基づいて、被検査物Ｗに対して複数の基準値で重量ランク判定している。
【００２９】
また、測定結果、良否判定結果や重量ランク判定結果は、表示部１０に表示されるとともに、物品検査装置１の後段に接続された選別部５に出力されるようになっている。選別部５では、物品検査装置１が出力した検査結果の測定結果、良否判定結果や重量ランク判定結果に応じて被検査物Ｗを振り分けるようになっている。
【００３０】
次に、物品検査装置１の詳細な構成を説明する。図１、図２に示すように、装置本体部２は、秤量部２１と、総合制御部７と、表示部１０と、設定部１１と、これらの各部を収納する収納筐体２ａとにより構成されている。
【００３１】
搬送部３は、ベルトコンベア１４から矢印Ａ方向に搬入されてくる被検査物Ｗを所定の搬送条件により搬送している。被検査物Ｗは、助走コンベア３１により測定するのに最適な速度になるよう加速または減速されて搬送され、秤量コンベア３２によりさらに搬送され、搬送されている間に重量が秤量部２１により計量されるようになっている。
【００３２】
秤量コンベア３２は、被検査物を所定の搬送条件により搬送している。また、被検査物Ｗは、計量の後にさらに後段の選別部５に搬送され、振り分けられるようになっている。
【００３３】
搬送部３は、助走コンベア３１および秤量コンベア３２により構成されている。助走コンベア３１は、前段のベルトコンベア１４から搬送されてきた被検査物Ｗが秤量コンベア３２に移動する前に、被検査物Ｗの助走を行うものであり、２つのローラ３１ａ、３１ｃと、これらのローラに巻き付けられている無端状の搬送ベルト３１ｂとにより構成されている。
【００３４】
秤量コンベア３２は、被検査物Ｗの計量を行う秤量部２１の上部に支持されており、２つのローラ３２ａ、３２ｃとこれらのローラに巻き付けられている無端状の搬送ベルト３２ｂと、ローラ３２ｃを駆動する図示しないモータとにより構成されている。ローラ３２ｃは、モータの駆動により回転駆動されるようになっている。
【００３５】
搬入センサ４は、助走コンベア３１と秤量コンベア３２との間に配置されており、一対の投光部４ａおよび受光部４ｂからなる透過形光電センサで構成されている。投光部４ａは搬送ベルト３２ｂの装置本体部２側に配置されている。受光部４ｂは搬送ベルト３２ｂの他の側面側に、投光部４ａに対向するように配置されている。
【００３６】
搬入センサ４は、被検査物Ｗが投光部４ａおよび受光部４ｂの間を通過して被検査物Ｗにより受光部４ｂが遮光されることで、被検査物Ｗの搬入が開始されたことを検出するようになっている。搬入センサ４で検出された搬入開始の信号は、装置本体部２内の総合制御部７に出力されるようになっている。
【００３７】
秤量部２１は、秤量コンベア３２を支持し、被検査物Ｗの質量による荷重に基づいて秤量信号を出力する荷重センサであり、電磁平衡機構などのはかり機構で構成され、被検査物Ｗが秤量コンベア３２で搬送されている間に、秤量部２１に加わる荷重を測定するようになっている。秤量部２１は、重量を測定できるはかり機構であればよく、例えば、差動トランス機構や歪みゲージ機構などのはかり機構で構成してもよい。
【００３８】
総合制御部７は、信号処理部７１、計量部７２、記憶部７３、制御部７４、良否判定部７６を備えている。
【００３９】
信号処理部７１は、秤量部２１からの秤量信号を受け所定の信号処理条件に基づいて信号処理して信号処理済信号を出力するようになっていて、アナログ信号をディジタル信号に変換するＡ／Ｄ変換器を備えている。具体的には、信号処理部７１は、秤量部２１からの秤量信号に対して、種類や特性の異なる複数のローパスフィルタから選択したフィルタを用いて、秤量信号の低周波成分のみを信号処理済信号として通過させるようになっている。なお、信号処理部７１が選択するローパスフィルタは、１つの場合、または、複数を組み合わせたものの場合がある。
【００４０】
計量部７２は、信号処理部７１が出力する信号処理済信号に基づいて被検査物Ｗの計量値を算出（グラム換算）するようになっている。また、計量部７２においては、搬入センサ４によって被検査物Ｗが秤量コンベア３２に搬入されたことが検知されてから被検査物Ｗが秤量コンベア３２に完全に乗り移り、さらに秤量部２１から出力された秤量信号が安定するまでに必要な基準時間Ｔｋが経過した後、被検査物Ｗが秤量コンベア３２から排出されるまでの間に計量を行い、秤量部２１から秤量信号が出力された被検査物Ｗに対して、計量値を算出するようになっている。計量部７２により算出された個々の重量は、記憶部７３に算出データとして記憶されるようになっている。
【００４１】
なお、計量部７２においては、被検査物Ｗの品種（特に、サイズ）に応じて、その測定範囲、測定能力および検査精度などの検査条件を基に計量に関する計量パラメータが選択されるようになっており、被検査物Ｗの品種に応じて、例えば、測定範囲が６ｇ〜６００ｇ、測定能力が最大１５０個／ｍｉｎで選択されるようになっている。
【００４２】
この場合、被検査物Ｗの１個当たりの基準時間Ｔｋは、最小４００ｍｓｅｃに設定されていることになり、基準時間Ｔｋは４００ｍｓｅｃ以上であればよいが、被検査物Ｗのサイズ、ラインの処理能力、生産その他の条件により設定されるようになっている。
【００４３】
記憶部７３は、記憶媒体などから構成されており、秤量コンベア３２による被検査物Ｗの所定の搬送条件、および計量部７２で使用する計量パラメータを含む条件パラメータを被検査物Ｗの品種に対応させて全品種分記憶するようになっている。
【００４４】
記憶部７３には、被検査物Ｗの品種毎に付された各品種番号に対応して、条件パラメータの搬送速度、ＬＰＦ（Ｌｏｗ  Ｐａｓｓ  Ｆｉｌｔｅｒ）特性が記憶されている。また、記憶部７３には、検査パラメータとして、被検査物Ｗの良否を判定するための良品範囲としての上限および下限の基準値が記憶されている。
【００４５】
ここで、搬送速度は、被検査物Ｗを搬送する搬送部３の速度であり、ＬＰＦ特性は、どのような特性のローパスフィルタであるかを示すものであり、良品範囲とは、良品と判定される被検査物Ｗの計量値の範囲である。
【００４６】
これらの記憶情報は、設定部１１からの設定操作または外部機器との接続により予め記憶されるようになっている。記憶部７３は、検査により得られた計量値、良否判定結果、統計データ、設定部１１からの設定情報等の種々のデータを制御部７４を介して全品種分記憶するようになっている。
【００４７】
制御部７４は、被検査物Ｗの品種に応じて記憶部７３から所定の搬送条件および所定の信号処理条件を読み出して秤量コンベア３２をそれぞれ制御するようになっている。
【００４８】
また、制御部７４は、記憶部７３に記憶している複数の品種に対応する条件パラメータや検査パラメータを順次切り換えて搬送部３を制御するようになっている。また、制御部７４は、図示しないモータの回転速度（ｒｐｍ）を駆動制御して、搬送部３による被検査物Ｗの搬送速度を制御するようになっている。
【００４９】
良否判定部７６は、判定回路などから構成されており、計量部７２が算出した計量値と良否判定基準値との比較に基づく良否判定結果を判定して出力するようになっている。
【００５０】
具体的には、良否判定部７６は、計量部７２から出力された被検査物Ｗの計量値を受けると、記憶部７３に予め記憶されている上限値および下限値を読み出し、算出した被検査物Ｗの計量値と上限値および下限値とをそれぞれ比較し、上限値および下限値で決定される許容範囲内に被検査物Ｗの計量値が入っているか否かを判定するようになっている。
【００５１】
良否判定部７６において判定された判定結果は、表示部１０に出力され、良品または不良品として表示されるようになっている。また、判定結果は、物品検査装置１の後段に接続された選別部５に出力され、被検査物Ｗが良品または不良品として選別されるようになっている。さらに、この判定結果は、記憶部７３に出力され、各被検査物Ｗについての判定結果が記憶されるようになっている。
【００５２】
表示部１０は、図１に示すように、装置本体部２の搬送部３側の上端部に設けられ、タッチパネルで構成される。表示部１０は、物品検査装置１の動作状態、被検査物Ｗの計量値、良否判定結果、検査パラメータ、統計データを表示するようになっている。また、表示部１０は、検査パラメータの設定や動作確認に関する表示をするようになっている。なお、設定部１１を表示部１０に一体化して構成し、設定操作を全て表示部１０からタッチ操作で入力されるようにしてもよい。
【００５３】
選別部５は、物品検査装置１の後段に接続されており、選別機構部５ａおよび搬送ベルト５ｂにより構成されている。選別機構部５ａは、フリッパ方式（アーム方式）の機構により構成されている。
【００５４】
選別機構部５ａは、上流の秤量コンベア３２から搬送される被検査物Ｗが搬送ベルト５ｂで矢印Ｂ方向に搬送されている間に、不良品と判定された被検査物Ｗを搬送ベルト５ｂ上から側方に排出し、良品の被検査物Ｗと区別することにより選別を行っている。選別機構部５ａは、良品と不良品とを選別できるものであればよく、押し出し方式、ドロップアウト方式、エアジェット方式などの選別機構で構成してもよい。
【００５５】
また、搬送ベルト５ｂは、ローラ５ｃおよびローラ５ｃに対向して配置されるローラ（不図示）と、これらのローラに巻き付けられている無端状の搬送ベルトとして構成されており、測定を終了した被検査物Ｗを所定の速度で下流側に搬送するようになっている。
【００５６】
本実施形態では、記憶部７３は、被検査物Ｗの品種に係るデータである品種関連データを複数の品種分記憶するようになっている。品種関連データには、被検査物Ｗの検査結果の統計データと、被検査物Ｗの検査パラメータとが含まれている。
【００５７】
また、制御部７４は、記憶部７３に記憶された品種関連データのうち、検査中の現在の被検査物Ｗの品種（以下、現在品種ともいう）に関する品種関連データである現在品種関連データと、検査中ではない他の品種（以下、他品種ともいう）に関する品種関連データである他品種関連データとを、同時に表示部１０に表示させるようになっている。すなわち、制御部７４は、現在品種関連データだけでなく、他品種関連データも同時に表示部１０に表示させるようになっている。
【００５８】
表示部１０は、他品種関連データの品種の選択操作を行うようになっている。表示部１０は、本発明における選択操作部を構成している。
【００５９】
制御部７４は、現在品種関連データと他品種関連データとを並べて表示部１０に表示させるようになっている。または、制御部７４は、現在品種関連データと他品種関連データとを重ねて表示部１０に表示させるようになっている。制御部７４は、現在品種関連データと他品種関連データとを互いに異なる態様で表示部１０に表示させるようになっている。
【００６０】
図３、図６に示すように、表示部１０は状態表示領域１１０と、操作領域１２０と、データ表示領域１３０とを備えている。
【００６１】
状態表示領域１１０は、表示部１０の上端部に配置された左右に延びる帯状の領域である。状態表示領域１１０には、装置の状態が主として表示される。
【００６２】
操作領域１２０は、表示部１０の下端部に配置された左右に延びる帯状態の領域である。操作領域１２０には、操作可能な操作ボタンが主として表示される。
【００６３】
データ表示領域１３０は、表示部１０の中央部に配置された領域であって、状態表示領域１１０と操作領域１２０に挟まれた領域である。データ表示領域１３０には、検査パラメータや統計データを含むデータが主として表示される。以下、検査パラメータや統計データを含むデータのことを、品種関連データともいう。これらの状態表示領域１１０、操作領域１２０、データ表示領域１３０における表示情報の生成とタッチ操作への応答は、制御部７４が行う。
【００６４】
物品検査装置１が運転中のときは、図３、図６に示すように、状態表示領域１１０に運転中アイコン１１１が表示されており、装置が運転中であることをオペレータに示している。
【００６５】
図３において、物品検査装置１が運転中のときは、オペレータの操作により、または、基本設定として、データ表示領域１３０には、検査中の現在の被検査物Ｗの品種（００１）の統計データ１３１が表示されている。統計データ１３１は、数値データである統計値１３１Ａと、グラフであるヒストグラム１３１Ｂからなる。
【００６６】
図３では、統計値１３１Ａとして、品種番号、総数、＋ＮＧ個数、ＯＫ個数、−ＮＧ個数、総計個数、平均値、標準偏差、総質量、最大値、最小値、カウンタプリセット個数の１２項目が縦に並べて表示されている。統計値１３１Ａは、データ表示領域１３０の中央より左側に表示されている。ヒストグラム１３１Ｂは、データ表示領域１３０の中央より右側に表示されている。また、操作領域１２０には、メニューボタン１２１と統計比較ボタン１２２が表示されている。メニューボタン１２１は、メニュー画面に戻るためのボタンである。統計比較ボタン１２２は、統計データを現在の品種と他の品種とで比較するためのボタンである。
【００６７】
図６において、物品検査装置１が運転中のときは、オペレータの操作により、または、基本設定として、データ表示領域１３０に検査中の現在の被検査物Ｗの品種（００１）の検査パラメータ１３５が表示されている。検査パラメータ１３５は、品名、基準値、上限値、下限値の４項目からなる。図６において、検査パラメータ１３５は、これらの４項目のパラメータ名称の右隣に、設定値として表示されている。また、操作領域１２０には、メニューボタン１２１と設定値比較ボタン１２３が表示されている。設定値比較ボタン１２３は、検査パラメータを現在の品種と他の品種とで比較するためのボタンである。
【００６８】
次に、物品検査装置１の動作を説明する。
【００６９】
図３において、現在の品種の統計データ１３１が表示されているときに統計比較ボタン１２２が押されると、制御部７４は、図４に示すように、検査中ではない他の品種（００２）の統計データ１３２を、検査中の品種（００１）の統計データ１３１に並べて表示部１０に表示させる。これにより、表示部１０のデータ表示領域１３０には、他の品種の統計データ１３２と、検査中の品種の統計データ１３１とが同時に表示される。
【００７０】
図４において、他の品種の統計データ１３２は、検査中の品種の統計データ１３１の下方に並べて表示されている。図４において、ヒストグラム１３１Ｂ、１３２Ｂは、図３のように単独のヒストグラム１３１Ｂと比較して上下方向に半分の長さに短縮して表示されている。
【００７１】
また、ヒストグラム１３１Ｂ、１３２Ｂは、互いに異なる色彩および模様で表示されている。具体的には、ヒストグラム１３１Ｂは、図３と同じ右上がりの細かいハッチングで表示されており、ヒストグラム１３２Ｂは右下がりの荒いハッチングで表示されている。これにより、オペレータは、検査中の品種の統計データ１３１と他の品種の統計データ１３２を明確に識別できる。
【００７２】
また、統計値１３１Ａ、１３２Ａは、図３の表示態様の統計値１３１Ａと比較して、文字サイズを等しくしたまま、表示項目数が削減されている。図４では、統計値１３１Ａ、１３２Ａとして、品種番号、総数、＋ＮＧ個数、ＯＫ個数、−ＮＧ個数、平均値、標準偏差の７項目が縦に並べて表示されている。
【００７３】
このように、制御部７４は、図４のように現在品種のみの統計データ１３１と、他品種の統計データ１３２を縦に並べて表示部１０に表示させる場合、統計値１３１Ａ、１３２Ａの表示項目数を削減することにより、文字サイズを縮小した場合の視認性の悪化を防止している。
【００７４】
一方、制御部７４は、図３のように現在品種のみの統計データ１３１を表示部１０に表示させる場合、データ表示領域１３０の全体を用いて統計データ１３１を表示させることで、無駄な余白を無くし、データ表示領域１３０を有効に利用している。
【００７５】
図４において、他品種のヒストグラム１３２Ｂの右上方には、品種選択ボタン１３０Ｄが表示されており、この品種選択ボタン１３０Ｄは左右一対の矢印からなる。制御部７４は、品種選択ボタン１３０Ｄの一方の矢印が押されると、統計データ１３２の表示内容を、品種番号が大きいまたは小さい品種のデータに切替える。例えば、品種選択ボタン１３０Ｄの右矢印が押されると、制御部７４は、他品種の統計データ１３２の表示内容を、品種番号が００３の品種のデータに切替える。
【００７６】
図４において、現在品種のヒストグラム１３１Ｂの右上方には、並び／重ね切替ボタン１３０Ｃが表示されており、この並び／重ね切替ボタン１３０Ｃは上下一対の矢印からなる。制御部７４は、並び／重ね切替ボタン１３０Ｃの下向きの矢印が押されると、図５に示すように、現在の品種の統計データ１３１のヒストグラム１３１Ｂを下方に移動し、他品種の統計データ１３２のヒストグラム１３２Ｂに重ねて表示部１０に表示させる。
【００７７】
図５において、他品種のヒストグラム１３２Ｂには、現在の品種のヒストグラム１３１Ｂが重ねて表示されている。ヒストグラム１３１Ｂとヒストグラム１３２Ｂは、重ね合わせる前と同じ色彩および模様でそれぞれ表示される。
【００７８】
ヒストグラム１３１Ｂとヒストグラム１３２Ｂの重複部分は、重ね合わせる前の色彩および模様とは異なる色彩および模様で表示されている。具体的には、ヒストグラム１３１Ｂとヒストグラム１３２Ｂの重複部分は、網掛けで表示されている。
【００７９】
また、ヒストグラム１３１Ｂがヒストグラム１３２Ｂに重ね合わされると、データ表示領域１３０の上段には、重ね合わせ前の現在の品種のヒストグラム１３１Ｂが破線で表示される。
【００８０】
図４、図５において、他の品種の統計データ１３２は、現在の品種の統計データ１３１とは異なり、枠線で囲まれた態様で表示される。これにより、オペレータは、現在の品種の統計データ１３１と他の品種の統計データ１３２とを明確に識別できる。
【００８１】
図６において、現在の品種の検査パラメータ１３５が表示されているときに設定値比較ボタン１２３が押されると、制御部７４は、図７に示すように、検査中ではない他の品種（００２）の検査パラメータ１３６を、検査中の品種（００１）の検査パラメータ１３５に並べて表示部１０に表示させる。
【００８２】
これにより、表示部１０のデータ表示領域１３０には、他の品種の検査パラメータ１３６と、検査中の品種の検査パラメータ１３５とが同時に表示される。図７において、他の品種の検査パラメータ１３６は、検査中の品種の検査パラメータ１３５の右方に並べて表示されている。
【００８３】
図６に示すように、被検査物Ｗを検査しているときは、制御部７４は、検査中の現在の被検査物Ｗの品種の検査パラメータを表示部１０に表示させる。表示部１０には、検査パラメータとして、品名、基準値、上限値、下限値が表示されている。
【００８４】
図６において、現在の品種の検査パラメータ１３５が表示されているときに設定値比較ボタン１２３が押されると、制御部７４は、図７に示すように、検査中ではない他の品種の検査パラメータ１３６を、検査中の品種の検査パラメータ１３５の右方に並べて表示部１０に表示させる。
【００８５】
これにより、表示部１０には、他の品種の検査パラメータ１３６と、検査中の品種の検査パラメータ１３５とが同時に表示される。
【００８６】
図６において、他の品種の検査パラメータ１３６は、現在の品種と同じ４つの表示項目からなる。他の品種の検査パラメータ１３６は、現在の品種の検査パラメータ１３５とは異なる態様で表示される。具体的には、他の品種の検査パラメータ１３６は、現在の品種の検査パラメータ１３５とは異なり、枠線で囲まれた態様で表示される。これにより、オペレータは、現在の品種の検査パラメータ１３５と他の品種の検査パラメータ１３６とを明確に識別できる。なお、品種番号をカテゴリによりグループ分けしておき、品種選択ボタン１３０Ｄを押したときに選択可能になる品種番号を、現在の品種番号と同一グループのものだけにすることで、品種の選択操作を容易にすることができる。
【００８７】
なお、図４、図５、図７では、現在品種関連データと同一の他品種関連データとを同時に表示部１０に表示させる例を説明したが、本発明は、検査中の被検査物Ｗの品種と異なる他の品種に関する品種関連データを表示部１０に表示すればよく、例えば、品種番号、測定値、検査結果のＯＫ／ＮＧなどの検査結果情報だけをデータ表示領域１３０に表示するような画面に他品種の統計データや検査パラメータを表示させるようにしてもよい。
【００８８】
以上、検査部が秤量台上の被検査物Ｗの荷重を計測する方式の重量検査装置を例に説明したが、本発明は、他の方式で検査する他の物品検査装置として、例えば、被検査物ＷにＸ線を照射してその透過量から被検査物Ｗの質量、欠陥、異物の有無等を検査するＸ線検査装置、磁界の変化や被検査物Ｗの残留磁気を検出して金属異物を検出する金属検出装置にも同様に適用できる。
【００８９】
以上説明したように、本実施形態に係る物品検査装置１は、被検査物Ｗの品種に係るデータである品種関連データを複数の品種分記憶する記憶部７３と、記憶部７３に記憶された品種関連データのうち、検査中の被検査物Ｗの品種と異なる他の品種に関する品種関連データを表示部１０に表示させる制御部７４と、を備えている。
【００９０】
この構成により、制御部７４は、記憶部７３に記憶された品種関連データのうち、検査中の被検査物Ｗの品種と異なる他の品種に関する品種関連データを表示部１０に表示させる。この結果、検査を中断することなく検査中の品種以外の品種のデータを確認できる。
【００９１】
本発明に係る物品検査装置は、品種関連データが、被検査物Ｗの検査結果の統計データと、被検査物Ｗの検査パラメータとを含むことを特徴とする。
【００９２】
この構成により、検査を中断することなく検査中の品種以外の品種の統計データと検査パラメータを確認できる。
【００９３】
本発明に係る物品検査装置は、他の品種の選択操作を行う表示部１０を備えることを特徴とする。
【００９４】
この構成により、表示部１０で選択した他の品種に関する品種関連データを表示部１０に表示させることができる。
【００９５】
本発明に係る物品検査装置は、制御部７４が、検査中の被検査物Ｗの品種に関する品種関連データと他の品種に関する品種関連データとを並べて表示部１０に表示させることを特徴とする。
【００９６】
この構成により、検査中の被検査物Ｗの品種に関する品種関連データと他の品種に関する品種関連データとを、並べて表示した状態で容易に比較することができる。
【００９７】
本発明に係る物品検査装置は、制御部７４が、検査中の被検査物Ｗの品種に関する品種関連データと他の品種に関する品種関連データとを重ねて表示部１０に表示させることを特徴とする。
【００９８】
この構成により、検査中の被検査物Ｗの品種に関する品種関連データと他の品種に関する品種関連データとを、重ねて表示した状態で容易に比較することができる。
【００９９】
本発明に係る物品検査装置は、制御部７４が、検査中の被検査物Ｗの品種に関する品種関連データと他の品種に関する品種関連データとを互いに異なる態様で表示部１０に表示させることを特徴とする。
【０１００】
この構成により、検査中の被検査物Ｗの品種に関する品種関連データと他の品種に関する品種関連データとを、明確に識別することができる。
【産業上の利用可能性】
【０１０１】
以上のように、本発明に係る物品検査装置は、検査を中断することなく検査中の品種以外の品種のデータを確認できるという効果を有し、肉、魚、加工食品、医薬品などの被検査物を検査する物品検査装置として有用である。
【符号の説明】
【０１０２】
１ 物品検査装置
１０ 表示部（設定部、選択操作部）
７３ 記憶部
７４ 制御部
Ｗ 被検査物
【図１】
0006527094.tif 000002
【図２】
0006527094.tif 000003
【図３】
0006527094.tif 000004
【図４】
0006527094.tif 000005
【図５】
0006527094.tif 000006
【図６】
0006527094.tif 000007
【図７】
0006527094.tif 000008